(57)【要約】【課題】船舶の検査管理を容易化すること。【解決手段】船主に設置される第２ユーザ端末２ｂ及び船舶の検査機関に設置される第３ユーザ端末２ｃのうち少なくともどちらか一方と、検査申請元に設置される第１ユーザ端末２ａとが通信回線を介して接続可能にされており、船舶が技術基準に適合しているか否かの検査に関連する情報を管理する検査管理システムであって、表示部３８と、船舶の検査箇所、船舶の検査種類、船舶の検査箇所と船舶の検査種類との組み合わせに対して付加されるコメント、及びコメントに対する対応状況を記憶するデータベースと、船舶の検査箇所を所定の順序で示した配列と、船舶の検査種類を検査する順序で示した配列とを、表示部３８にマトリクス表示させ、船主、検査機関、及び検査申請元のそれぞれで判断された検査結果をマトリクス表示に示す制御部とを具備する。【選択図】図１
2015099548.tif 000002
【特許請求の範囲】
【請求項１】
船主に設置される第２ユーザ端末及び船舶の検査機関に設置される第３ユーザ端末のうち少なくともどちらか一方と、検査申請元に設置される第１ユーザ端末とが通信回線を介して接続可能にされており、前記船舶が技術基準に適合しているか否かの検査に関連する情報を管理する検査管理システムであって、
表示手段と、
船舶の検査箇所、船舶の検査種類、前記船舶の検査箇所と前記船舶の検査種類との組み合わせに対して付加される検査結果、コメント、及び前記コメントに対する対応状況の少なくとも１つを記憶する第１記憶手段と、
前記船舶の検査箇所を所定の順序で示した配列と、前記船舶の検査種類を検査する順序で示した配列とを、前記表示手段にマトリクス表示させ、前記船主、前記検査機関、及び前記検査申請元のそれぞれで判断された検査情報を表示させる制御手段と
を具備する検査管理システム。
【請求項２】
前記表示手段は、前記第１ユーザ端末と、前記第１ユーザ端末と前記通信回線を介して接続される端末とに設けられる請求項１に記載の検査管理システム。
【請求項３】
前記制御手段は、前記船主の立ち会いなしで前記検査を実施することが前記船主により許可された場合に、前記船主による検査結果は、前記検査申請元の検査結果を採用する請求項１または請求項２に記載の検査管理システム。
【請求項４】
前記制御手段は、前記検査機関の立ち会いなしで前記検査を実施することが前記検査機関により許可された場合に、前記検査機関による検査結果は、前記検査申請元の検査結果を採用する請求項１から請求項３のいずれかに記載の検査管理システム。
【請求項５】
前記第１記憶手段は、前記船主及び前記検査機関のそれぞれを識別するための識別情報と、前記船主及び前記検査機関のそれぞれに対応する改ざん防止用の情報とを記憶しており、
前記検査は、複数の前記検査種類の検査を含んでおり、一の前記検査種類の検査が完了状態とされた場合に次の前記検査種類の検査に着手できるものとし、
前記制御手段は、前記識別情報と、前記前記改ざん防止用の情報との正しい組み合わせが検出された場合に、一の前記検査種類を完了状態と判定する請求項１から請求項４のいずれかに記載の検査管理システム。
【請求項６】
前記第１ユーザ端末、前記第２ユーザ端末、及び前記第３ユーザ端末の少なくとも１つはローカルの第２記憶手段を有しており、
前記第１ユーザ端末、前記第２ユーザ端末、及び前記第３ユーザ端末のうち前記ローカルの第２記憶手段を有するものは、前記通信回線と通信可能に接続された場合に、前記第１記憶手段から取得される前記船舶の検査箇所及び前記船舶の検査種類を含む情報を前記ローカルの第２記憶手段に格納し、
前記通信回線と通信可能に接続されていない場合に、前記ローカルの前記第２記憶手段に格納されている情報を読み出し、前記表示手段に前記船舶の検査箇所及び前記船舶の検査種類を前記マトリクス表示させ、
前記マトリクス表示に対して付加される検査結果、コメント、及び前記コメントに対する対応状況の少なくとも１つを前記第２記憶手段に記憶させる請求項１から請求項５のいずれかに記載の検査管理システム。
【請求項７】
前記検査機関又は前記船主により立ち会い検査が行われ、一の前記検査種類の検査が不適合とされた場合に、前記検査申請元による再検査の申請指令に基づいて、前記検査機関又は前記船主に再検査を申請する再検査申請手段を具備する請求項１から請求項６のいずれかに記載の検査管理システム。
【請求項８】
前記制御手段は、前記船舶の工事工程の進捗情報を取得し、取得した前記進捗情報に基づいて、前記船舶の前記検査の予定を前記表示手段に出力する請求項１から請求項７のいずれかに記載の検査管理システム。
【請求項９】
船主に設置される第２ユーザ端末及び船舶の検査機関に設置される第３ユーザ端末のうち少なくともどちらか一方と、検査申請元に設置される第１ユーザ端末とが通信回線を介して通信接続可能にされており、前記船舶の技術基準適合判断の検査に関連する情報を管理する検査管理方法であって、
船舶の検査箇所、船舶の検査種類、前記船舶の検査箇所と前記船舶の検査種類との組み合わせに対して付加される検査結果、コメント、及び前記コメントに対する対応状況の少なくとも１つを記憶する過程と、
前記船舶の検査箇所を所定の順序で示した配列と、前記船舶の検査種類を検査する順序で示した配列とを、前記表示手段にマトリクス表示させ、前記船主、前記検査機関、及び前記検査申請元のそれぞれで判断された検査情報を前記マトリクス表示に示す過程と
を有する検査管理方法。
【請求項１０】
船主に設置される第２ユーザ端末及び船舶の検査機関に設置される第３ユーザ端末のうち少なくともどちらか一方と、検査申請元に設置される第１ユーザ端末とが通信回線を介して通信接続可能にされており、前記船舶が技術基準に適合しているか否かの検査に関連する情報を管理する検査管理プログラムであって、
船舶の検査箇所、船舶の検査種類、前記船舶の検査箇所と前記船舶の検査種類との組み合わせに対して付加される検査結果、コメント、及び前記コメントに対する対応状況の少なくとも１つを記憶手段に記憶させる処理と、
前記記憶手段から読み出される前記船舶の検査箇所を所定の順序で配列させ、前記記憶手段から読み出される前記船舶の検査種類を検査する順序で配列させ、表示手段にマトリクス表示させ、前記船主、前記検査機関、及び前記検査申請元のそれぞれで判断された検査情報を前記マトリクス表示に示す処理と
をコンピュータに実行させるための検査管理プログラム。
【発明の詳細な説明】
【技術分野】
【０００１】
本発明は、検査管理システム及び方法並びにプログラムに関するものである。
【背景技術】
【０００２】
例えば、船舶の航行中のみならず、船舶の設計や製造段階から廃船に至るまでの期間において、船舶安全法、海洋汚染等及び海上災害の防止に関する法律等において、船舶が航行するために必要な構造、設備等に関する技術基準に適合していることを国等が検査することとなっている。また、船舶の検査は、船舶所有者或いは船舶所有者に代わる造船所等の検査申請元が申請し、検査機関により立会検査が行われ、合格した船舶については検査証書等が交付される仕組みとなっている。
【０００３】
こうした検査の過程のスケジュールを管理するシステムの例として、例えば下記特許文献１には、検査申請元、施主、検査機関の３者間で、船体検査情報をオンラインで共有化し、スケジュールの調整及び管理を容易化するシステムが開示されている。
また、スケジュールを管理する他のシステムとして、下記特許文献２には、住宅や構築物等の施工業者と施主の間で、施工内容や成功進捗情報をオンラインで共有化し、スケジュールの調整、施主の立ち会い無しでの施工、施主からのコメント管理をし、施工全体を把握するシステムが開示されている。
【先行技術文献】
【特許文献】
【０００４】
【特許文献１】特開２０１３−１４５４５９号公報
【特許文献２】特開２００１−２９０８６６号公報
【発明の概要】
【発明が解決しようとする課題】
【０００５】
ところで、船舶の検査においては、造船所（検査申請元）による判断のみならず、検査機関の船舶検査官及び船主のそれぞれの承認を得なければならず、各々の判断結果を管理するのは非常に煩雑なものとなっていた。また、検査機関の船舶検査官や船主からの検査に関するコメントや、船舶搭載機器製造メーカに対する船主、検査機関及び造船所によるコメントは非常に多数、かつ、長期間となることが知られているが、これらを管理し個々のコメントに対処していくことは非常に煩雑であり、またその見落としは重大な欠陥に繋がる可能性があるので、多数の検査及びコメントの管理を確実に対応するための手間や負担が大きいことが課題となっていた。
【０００６】
しかしながら上記特許文献１では、検査申請元、船主、検査機関の３者間で、検査情報の共有化ができても、検査申請元、船主、検査機関のそれぞれの長期間にわたる検査の検査結果及びコメントを包括的に確認することはできず、管理が煩雑になり、負担が大きいという問題を解決できなかった。
また、特許文献２においても、施工業者と施主の間で各種情報を共有化する点が記載されているものの、施工スケジュールの登録すべき事項は施工業者と施主との間で変わるものでなく、船主、検査機関、造船所のそれぞれの判断に応じた検査結果を管理する方法については一切示唆も開示もされておらず、管理が煩雑になり、負担が大きいという問題は解決できない。
【０００７】
本発明は、上記問題を解決するためになされたもので、船舶の検査管理を容易化する検査管理システム及び方法並びにプログラムを提供することを目的とする。
【課題を解決するための手段】
【０００８】
上記課題を解決するために、本発明は以下の手段を採用する。
本発明は、船主に設置される第２ユーザ端末及び船舶の検査機関に設置される第３ユーザ端末のうち少なくともどちらか一方と、検査申請元に設置される第１ユーザ端末とが通信回線を介して接続可能にされており、前記船舶が技術基準に適合しているか否かの検査に関連する情報を管理する検査管理システムであって、表示手段と、船舶の検査箇所、船舶の検査種類、前記船舶の検査箇所と前記船舶の検査種類との組み合わせに対して付加される検査結果、コメント、及び前記コメントに対する対応状況の少なくとも１つを記憶する第１記憶手段と、前記船舶の検査箇所を所定の順序で示した配列と、前記船舶の検査種類を検査する順序で示した配列とを、前記表示手段にマトリクス表示させ、前記船主、前記検査機関、及び前記検査申請元のそれぞれで判断された検査情報を表示させる制御手段とを具備する検査管理システムを提供する。
【０００９】
本発明によれば、船主に設置される第２ユーザ端末及び船舶の検査機関に設置される第３ユーザ端末のうち少なくともどちらか一方と、検査申請元に設置される第１ユーザ端末とが通信回線を介して接続可能にされており、船舶が技術基準に適合しているか否かの検査に関連する情報を管理する検査管理システムであって、船舶の検査箇所、船舶の検査種類、船舶の検査箇所と船舶の検査種類との組み合わせに対して付加される検査結果、コメント、及びコメントの対応状況の少なくとも１つが第１記憶手段に記憶されており、第１記憶手段から読み出された船舶の検査箇所を所定の順序で示される配列と、第１記憶手段から読み出された船舶の検査種類が検査する順序で示される配列とがマトリクス表示され、船主、検査機関、及び検査申請元のそれぞれで判断された検査結果がマトリクス表示に示される。
【００１０】
船舶が技術基準に適合しているか否かの検査は、長期間にわたる多数多品目の検査であること、船主や検査機関（例えば、船級協会）による多数のコメントが付加される等の理由により、管理する情報が多くなるが、本発明によれば、船舶の検査箇所と検査種類をマトリクス表示によって一元管理することができるので、船舶の検査状況を簡便に把握できる。また、従来、検査は検査対象装置毎、或いは、検査場所毎のいずれかで管理が行われていたが、本発明によれば、検査の全体を一元管理できるようになる。
なお、技術基準とは、船舶の堪航性を保持し、人命の安全を確保するため、船舶の設計・製造段階から廃船に至るまでの間、船舶安全法、海洋汚染等及び海上災害の防止に関する法律等において、船舶が航行するために必要な構造、設備等に関する基準であり、船舶の検査は、その遵守を担保するために実施される。つまり、船舶の検査箇所と船舶の検査種類は、船舶の堪航性を保持し、人命の安全を確保するように航行するために必要となる構造、設備等であるか否かを判定するための検査箇所と検査種類に関する項目とされる。
【００１１】
上記検査管理システムの前記表示手段は、前記第１ユーザ端末と、前記第１ユーザ端末と前記通信回線を介して接続される端末とに設けられることが好ましい。
【００１２】
表示手段が、第１ユーザ端末と第２ユーザ端末（又は／及び第３ユーザ端末）とに設けられるので、第１ユーザ端末と第２ユーザ端末（又は／及び第３ユーザ端末）との双方から船舶の検査箇所と検査種類とのマトリクス表示にアクセスして処理が進められ、双方の処理を含む全体的な管理を行うことができる。
【００１３】
上記検査管理システムにおいて、前記制御手段は、前記船主の立ち会いなしで前記検査を実施することが前記船主により許可された場合に、前記船主による検査結果として、前記検査申請元の検査結果を採用することとしてもよい。
【００１４】
前記船主と前記検査申請元の信頼性向上により船主が許可した場合には、船主が検査を検査申請元に一任し、船主が不在であっても検査申請元による検査を速やかに進めることができるので、合理的である。
【００１５】
上記検査管理システムにおいて、前記制御手段は、前記検査機関の立ち会いなしで前記検査を実施することが前記検査機関により許可された場合に、前記検査機関による検査結果は、前記検査申請元の検査結果を採用することとしてもよい。
【００１６】
前記検査機関と前記検査申請元の信頼性向上により検査機関が許可した場合には、検査機関が検査を検査申請元に一任し、検査機関による立ち会いが無くても検査申請元による検査を速やかに進めることができるので、合理的である。
【００１７】
上記検査管理システムの前記第１記憶手段は、前記船主及び前記検査機関のそれぞれを識別するための識別情報と、前記船主及び前記検査機関のそれぞれに対応する改ざん防止用の情報とを記憶しており、前記検査は、複数の前記検査種類の検査を含んでおり、一の前記検査種類の検査が完了状態とされた場合に次の前記検査種類の検査に着手できるものとし、前記制御手段は、前記識別情報と、前記前記改ざん防止用の情報との正しい組み合わせが検出された場合に、一の前記検査種類を完了状態と判定することが好ましい。
【００１８】
船主及び検査機関であることを識別できる識別情報と改ざん防止用の情報との組み合わせが一致している場合のみ、一の検査種類の検査を完了状態とできるので、各検査種類の検査において検査申請元による改ざんが防止でき、船主側からの信頼性が確保される。これにより、検査機関が検査を検査申請元に一任するように許可し、前述の検査機関による立ち会いが無くてもよい検査が、より円滑に実施可能となる。
【００１９】
上記検査管理システムにおいて、前記第１ユーザ端末、前記第２ユーザ端末、及び前記第３ユーザ端末の少なくとも１つはローカルの第２記憶手段を有しており、前記第１ユーザ端末、前記第２ユーザ端末、及び前記第３ユーザ端末のうち前記ローカルの第２記憶手段を有するものは、前記通信回線と通信可能に接続された場合に、前記第１記憶手段から取得される前記船舶の検査箇所及び前記船舶の検査種類を含む情報を前記ローカルの第２記憶手段に格納し、前記通信回線と通信可能に接続されていない場合に、前記ローカルの前記第２記憶手段に格納されている情報を読み出し、前記表示手段に前記船舶の検査箇所及び前記船舶の検査種類を前記マトリクス表示させ、前記マトリクス表示に対して付加される検査結果、コメント、及び前記コメントに対する対応状況の少なくとも１つを前記第２記憶手段に記憶させることとしてもよい。
【００２０】
これにより、第１ユーザ端末、第２ユーザ端末、及び第３ユーザ端末は、通信回線と接続されオンラインになった場合には、第１記憶手段から最新情報を取得してローカルの第２記憶手段に記憶させておくことで、通信回線と非接続にされオフラインになり第１記憶手段から情報が得られない場合であってもローカルの第２記憶手段に記憶させておいた情報に基づいて、船舶の検査箇所及び船舶の検査種類をマトリクス表示でき、検査を円滑に進めることができる。
【００２１】
上記検査管理システムにおいて、前記検査機関又は前記船主により立ち会い検査が行われ、一の前記検査種類の検査が不適合とされた場合に、前記検査申請元による再検査の申請指令に基づいて、前記検査機関又は前記船主に再検査を申請する再検査申請手段を具備することとしてもよい。
これにより、不適合となった検査があっても、速やかに再検査を行うことができる。
【００２２】
上記検査管理システムの前記制御手段は、前記船舶の工事工程の進捗情報を取得し、取得した前記進捗情報に基づいて、前記船舶の前記検査の予定を前記表示手段に出力することとしてもよい。
【００２３】
船舶の工事工程の進捗と関連付けられる検査があれば、工事の進捗に応じて検査が進められる状態として表示されるようになるので、検査に進めるか否かの判断が容易になる。
【００２４】
本発明は、船主に設置される第２ユーザ端末及び船舶の検査機関に設置される第３ユーザ端末のうち少なくともどちらか一方と、検査申請元に設置される第１ユーザ端末とが通信回線を介して通信接続可能にされており、前記船舶の技術基準適合判断の検査に関連する情報を管理する検査管理方法であって、船舶の検査箇所、船舶の検査種類、前記船舶の検査箇所と前記船舶の検査種類との組み合わせに対して付加される検査結果、コメント、及び前記コメントに対する対応状況の少なくとも１つを記憶する過程と、前記船舶の検査箇所を所定の順序で示した配列と、前記船舶の検査種類を検査する順序で示した配列とを、前記表示手段にマトリクス表示させ、前記船主、前記検査機関、及び前記検査申請元のそれぞれで判断された検査情報を前記マトリクス表示に示す過程とを有する検査管理方法を提供する。
【００２５】
本発明は、船主に設置される第２ユーザ端末及び船舶の検査機関に設置される第３ユーザ端末のうち少なくともどちらか一方と、検査申請元に設置される第１ユーザ端末とが通信回線を介して通信接続可能にされており、前記船舶が技術基準に適合しているか否かの検査に関連する情報を管理する検査管理プログラムであって、船舶の検査箇所、船舶の検査種類、前記船舶の検査箇所と前記船舶の検査種類との組み合わせに対して付加される検査結果、コメント、及び前記コメントに対する対応状況の少なくとも１つを記憶手段に記憶させる処理と、前記記憶手段から読み出される前記船舶の検査箇所を所定の順序で配列させ、前記記憶手段から読み出される前記船舶の検査種類を検査する順序で配列させ、表示手段にマトリクス表示させ、前記船主、前記検査機関、及び前記検査申請元のそれぞれで判断された検査情報を前記マトリクス表示に示す処理とをコンピュータに実行させるための検査管理プログラムを提供する。
【発明の効果】
【００２６】
本発明によれば、船舶の検査管理を容易化できるという効果を奏する。
【図面の簡単な説明】
【００２７】
【図１】本発明に係る検査管理システムの全体構成を示した図である。
【図２】本発明に係る検査管理装置のハードウェア構成の一例を示したブロック図である。
【図３】本発明に係る検査管理装置が備える機能を展開して示した機能ブロック図である。
【図４】本発明に係る検査管理システムにより提示される初期画面の一例を示した図である。
【図５】本発明に係る検査管理システムにより提示される当日の検査一覧を示した画面例である。
【図６】本発明に係る検査管理システムにより提示される検査申請書を示した画面例である。
【図７】本発明に係る検査管理システムにより提示されるＦＡＴスケジュール及びＦＡＴ検査結果を示した画面例である。
【図８】本発明に係る検査管理システムにより提示されるヤード立会検査、ＦＡＴ結果管理、コメント管理の情報を示した画面例である。
【図９】本発明に係る検査管理システムにより提示されるコメント管理の情報を示した画面例である。
【図１０】本発明に係る検査管理システムにより提示されるテストインデックスの画面例である。
【図１１】本発明に係る検査管理システムにより提示される検査種類と検査箇所とをマトリクス表示する画面例である。
【図１２】本発明に係る検査管理システムにより提示される検査スケジュールを示した画面例である。
【図１３】本発明に係る検査管理システムにより提示される不適合管理の管理画面例である。
【図１４】本発明に係る検査管理システムにより提示されるブロック検査一覧表を示した画面例である。
【発明を実施するための形態】
【００２８】
以下に、本発明に係る検査管理システム及び方法並びにプログラムの一実施形態について、図面を参照して説明する。
【００２９】
本実施形態に係る検査管理システムは、船舶が技術基準に適合しているか否かの適合判断の検査（以下、単に「検査」という）に関連する情報を管理するシステムである。ここで、技術基準とは、船舶の堪航性を保持し、人命の安全を確保するため、船舶の設計・製造段階から廃船に至るまでの間、船舶安全法、海洋汚染等及び海上災害の防止に関する法律等において、船舶が航行するために必要な構造、設備等に関する基準であり、船舶の検査は、その遵守を担保するために実施される。
【００３０】
図１に示されるように、検査管理システム１は、少なくとも、検査申請元（例えば、造船所）に設置される第１ユーザ端末２ａと、船主オフィスに設置される第２ユーザ端末２ｂがあり、船舶の検査機関（例えば、船級協会）に設置される第３ユーザ端末２ｃがあってもよく、さらには複数の検査機関に対しては第４以降のユーザ端末があってもよい。また検査管理システム１は、船舶の検査管理装置（以下「検査管理装置」という）３を備えている。図１では、第１ユーザ端末２ａ、第２ユーザ端末２ｂ、及び第３ユーザ端末２ｃは、それぞれ１台ずつ示されているが、それぞれのユーザ端末の設置台数は特に限定されない。例えば、第１ユーザ端末２ａは、検査申請元内の各関係部署にそれぞれ設置されていてもよい。
【００３１】
検査管理システム１は、第２ユーザ端末２ｂ及び第３ユーザ端末２ｃのうち少なくともどちらか一方と、第１ユーザ端末２ａとがインターネット等の所定の通信回線４を介して接続可能にされている。本実施形態においては、検査管理システム１は、第１ユーザ端末２ａと、第２ユーザ端末２ｂと、第３ユーザ端末２ｃと、検査管理装置３とがそれぞれ情報の授受可能に接続されていることとして説明する。
【００３２】
また、本実施形態に係る検査管理システム１は、船舶の検査に関連する情報を取り扱う他の装置と情報の授受可能に接続されている。例えば、検査管理装置３は、船舶の検査の日程調整等を行う検査支援システム５と、船舶の自主検査・社内検査等の結果を管理する自主管理システム６と、船舶の工事の進捗情報を管理する進捗管理システム７と、図面を管理する図面承認システム８等と、通信回線４を介して相互接続されている。
【００３３】
第１ユーザ端末２ａ、第２ユーザ端末２ｂ、及び第３ユーザ端末２ｃは、例えば、パーソナルコンピュータなどの汎用コンピュータであり、それぞれキーボードやマウス等の入力部（図示略）、ローカルのローカル記憶部（第２記憶手段）３７、及び検査に関連する情報を表示させる表示部（表示手段）３８を備えている。
表示部３８は、検査管理装置３の制御部３２（詳細は後述する）から指示された、船舶の検査箇所及び船舶の検査種類のマトリクス表示を出力する。
なお、本実施形態においては、表示部３８は、第１ユーザ端末２ａ、第２ユーザ端末２ｂ、及び第３ユーザ端末２ｃに配置しているが、後述する検査管理装置３に設けることとしてもよい。
【００３４】
第１ユーザ端末２ａ、第２ユーザ端末２ｂ、及び第３ユーザ端末２ｃは、通信回線４を介して検査管理装置３と電気的に接続状態となり通信可能となった場合（オンライン）に、検査管理装置３と情報の授受を行うとともに、検査管理装置３から取得される船舶の検査情報（例えば、船舶の検査箇所、船舶の検査種類、及びその検査結果や進捗状況）をローカルのローカル記憶部３７に格納する。また、ローカルのデータに基づいて表示部３８に船舶の検査箇所及び船舶の検査種類をマトリクス表示させる（オンライン状態）。
【００３５】
また、第１ユーザ端末２ａ、第２ユーザ端末２ｂ、及び第３ユーザ端末２ｃは、検査管理装置３と電気的に非接続状態となり通信不可となった場合（オフライン）に、ローカルのローカル記憶部３７に格納されている検査情報を読み出し、読み出されたローカルのデータに基づいて表示部３８に船舶の検査箇所及び船舶の検査種類をマトリクス表示させる（オフライン状態）。
ここで、マトリクス表示とは、船舶の検査箇所を所定の順序で示した配列と、船舶の検査種類を検査する順序で示した配列とを、マトリクス状に表示させ、交差箇所には対応した検査の情報や状況などを示したものである。
【００３６】
また、第１ユーザ端末２ａ、第２ユーザ端末２ｂ、及び第３ユーザ端末２ｃは、オフライン状態にて検査を行った場合には、検査結果、コメント、及びコメントに対する対応状況などを一時的にローカル記憶部３７に格納し、その後オンライン状態になった場合にローカル記憶部３７に格納していた検査結果を検査管理装置３に送信する。
なお、第１ユーザ端末２ａ、第２ユーザ端末２ｂ、及び第３ユーザ端末２ｃは、検査管理装置３に対して検査結果を送信及び検査管理装置３のデータベース３１に検査結果を登録させる場合には、各端末ユーザに対してそれぞれＰＩＮコード等の暗証番号の入力をさせることを必須とすることが好ましい。
【００３７】
第１ユーザ端末２ａ、第２ユーザ端末２ｂ、及び第３ユーザ端末２ｃの端末はそれぞれ特に限定されるものでないが、本実施形態においては、これら端末は可搬型端末（例えば、タブレット型コンピュータ）とし、可搬型端末にそれぞれの機能を持たせることとして説明する。また、第１ユーザ端末２ａ、第２ユーザ端末２ｂ、及び第３ユーザ端末２ｃがそれぞれ通信回線４と接続されるのは、有線接続（例えば、イーサネット（登録商標））であってもよいし、無線接続（例えば、無線ＬＡＮ）であってもよく、特に通信形態は限定されない。
【００３８】
例えば、第１ユーザ端末２ａは、船舶内で用いられるユーザ端末であるが、船舶自体が鉄等の電波が伝播しにくい（或いは、電波が遮蔽される）素材であるため、通信回線４との接続が無線接続である場合には、場所によっては意図せずオフラインになることがある。そのため、第１ユーザ端末２ａが無線通信可能となる領域においては第１ユーザ端末２ａをオンライン状態で使用し、無線通信不可となる領域においては検査結果をローカル記憶部３７に一旦記憶させておき、第１ユーザ端末２ａが無線通信可能となる領域に移動した場合に第１ユーザ端末２ａをオンライン状態にして、ローカル記憶部３７に記憶させていた検査結果の情報を検査管理装置３に送信する。このように、一時的に検査情報や検査結果をローカル記憶部３７に格納させることにより、通信環境が整っていない状況であっても検査を進めることができるので、検査が円滑に進められる。
【００３９】
検査支援システム５は、検査支援装置及び検査支援データベースを備えている。
検査支援装置は、船舶の検査を支援する装置であり、特に、船舶の検査申請や既に登録されている検査の日程調整等の作業を支援する。
検査支援データベースは、例えば、検査申請入力画面において第１ユーザ端末２ａから入力された船舶の検査申請に関わる情報が格納されている。
【００４０】
自主管理システム６は、ブロック検査、パイプ検査、塗装検査等の自主検査及び出荷前検査（以下、「社内検査」という）の工程の情報を管理する。
進捗管理システム７は、船舶の工事の進捗情報が管理されており、検査管理システム１に対して、検査を進める可否を判定させる進捗情報を提供する。
図面承認システム８は、図面の承認状況（承認上程済み、承認完了、コメントあり）を管理するシステムである。
【００４１】
図２は、本実施形態に係る検査管理装置３の概略構成を示したブロック図である。
図２に示すように、本実施形態に係る検査管理装置３は、コンピュータシステム（計算機システム）であり、ＣＰＵ（中央演算処理装置）１１と、ＲＡＭ（Ｒａｎｄｏｍ  Ａｃｃｅｓｓ  Ｍｅｍｏｒｙ）等の主記憶装置１２と、補助記憶装置１３、キーボードやマウスなどの入力装置１４、ディスプレイやプリンタなどの出力装置１５、外部の機器と通信を行うことにより情報の授受を行う通信装置１６などを備えている。
補助記憶装置１３は、コンピュータ読取可能な記録媒体であり、例えば、磁気ディスク、光磁気ディスク、ＣＤ−ＲＯＭ、ＤＶＤ−ＲＯＭ、半導体メモリ等である。この補助記憶装置１３には、各種プログラムが格納されており、ＣＰＵ１１が補助記憶装置１３から主記憶装置１２にプログラムを読み出し、実行することにより種々の処理を実現させる。
【００４２】
検査管理装置３は、検査を管理するためのプログラム（検査管理プログラム）が格納されており、このプログラムが実行されることにより、船舶の検査結果を示す各種画面を生成し、通信回線４を介して第１ユーザ端末２ａ、第２ユーザ端末２ｂ、及び第３ユーザ端末２ｃ等の要求があったユーザ端末に対して送信する。これにより、後述する検査に関連する各種画面を第１ユーザ端末２ａ、第２ユーザ端末２ｂ、及び第３ユーザ端末２ｃの要求のあったユーザ端末の表示部３８に表示させることが可能となる。
【００４３】
具体的には、検査管理装置３は、図３に示されるように、データベース（第１記憶手段）３１と、制御部（制御手段）３２と、再検査申請部（再検査申請手段）３３とを備えている。
【００４４】
データベース３１は、船舶の検査箇所、船舶の検査種類、船舶の検査箇所と船舶の検査種類との組み合わせに対して付加される検査結果、コメント、及びコメントに対する対応状況などが格納されている。例えば、船舶の検査箇所、船舶の検査種類は、第１ユーザ端末２ａ等から船舶の検査申請される場合に入力される情報であり、船舶の検査箇所と船舶の検査種類との組み合わせに対して付加されるコメントは船主や検査機関による立会検査の場合に第２ユーザ端末２ｂや第３ユーザ端末２ｃから入力される情報であり、コメントに対する対応状況は造船所により第１ユーザ端末２ａから入力される情報である。
【００４５】
また、データベース３１は、検査申請元、船主及び検査機関のそれぞれを識別するための識別情報（例えば、ユーザＩＤや使用者の氏名）と、それぞれに対応する改ざん防止用の情報を記憶している。改ざん防止用の情報は、本実施形態においては、ＰＩＮ（ｐｅｒｓｏｎａｌ  ｉｄｅｎｔｉｆｉｃａｔｉｏｎ  ｎｕｍｂｅｒ）コード等の暗証番号とするが、特に限定されない。
なお、本実施形態においては、データベース３１は、検査管理装置３内に設けられていることとして説明するが、検査管理装置３と情報の授受可能に接続されて設けられることとしてもよい。
【００４６】
制御部３２は、船舶の検査箇所を所定の順序で示した配列と、船舶の検査種類を検査する順序で示した配列とを、ユーザ端末の表示部３８にマトリクス表示させ、船主、検査機関、及び検査申請元のそれぞれで判断された検査結果や検査の進捗状況に応じてマトリクス表示中の表示内容を異ならせる。マトリクス表示とは、船舶の検査箇所を所定の順序で示した配列と、船舶の検査種類を検査する順序で示した配列とを、マトリクス状に表示させ、交差箇所には対応した検査の情報や状況などを示したものである。
【００４７】
具体的には、船主、検査機関、及び検査申請元のそれぞれで許可された検査結果については許可を示す色（例えば、緑色）や模様（例えば、網掛け表示）で示し、船主や検査機関によって条件付きで許可された検査結果については条件付きであることを示す色（例えば、黄色）や模様（例えば、斜線表示）で示し、船主や検査機関によって検査が拒否（不適合に）された結果を示す色（例えば、赤）や模様（例えば、塗りつぶし）で示し、検査が実施されていない検査については未検査を示す色（例えば、白色）や模様（例えば、無地）で示す等、マトリクス表示中の船舶の検査箇所と検査種類に対応する各検査の進捗状況（マトリクス表示の交点）の表示内容を異ならせる。これにより、マトリクス表示は、表示部３８を確認するユーザに対して視覚的に結果を提示できる。また、全検査申請書番号とインデックス番号とを対応付けて管理が可能となっている。
【００４８】
また、制御部３２は、船主の立ち会いなしで検査を実施することが船主により許可された場合に、船主による検査結果は、検査申請元の検査結果を採用する。具体的には、制御部３２は、船主がログインした状態となった第２ユーザ端末２ｂにおいて船主が一任処理する対象検査に対して、船主用の改ざん防止用の情報（例えば、ＰＩＮコード）が入力されていることを検出している場合に、当該検査の検査申請書において検査申請元（造船所の検査員）の改ざん防止用の情報（例えば、ＰＩＮコード）を検出した時点で、当該検査を完了状態とする。
【００４９】
同様に、制御部３２は、検査機関の立ち会いなしで検査を実施することが検査機関により許可された場合に、検査機関による検査結果は、検査申請元の検査結果を採用する。具体的には、制御部３２は、検査機関の船舶検査官がログインした状態となった第３ユーザ端末２ｃにおいて検査機関の船舶検査官が一任処理する対象検査に対して、検査機関用の改ざん防止用の情報（例えば、ＰＩＮコード）が入力されていることを検出している場合に、当該検査の検査申請書において検査申請元（造船所の検査員）の改ざん防止用の情報（例えば、ＰＩＮコード）を検出した時点で、当該検査を完了状態とする。
【００５０】
また、検査には複数の検査種類の検査が含まれており、一の検査種類の検査が完了状態とされた場合に次の検査種類の検査に着手できるものとする場合に、制御部３２は、船主及び検査機関のそれぞれを識別させる識別情報（例えば、ユーザＩＤ）と、船主及び検査機関のそれぞれ対応する改ざん防止用の情報（例えば、ＰＩＮコード）との組み合わせが一致している場合にのみ、一の検査種類を完了状態と判定する。これにより、各検査種類の検査において検査申請元による改ざんが防止でき、船主側からの信頼性が確保される。
【００５１】
再検査申請部３３は、検査機関又は船主により立ち会い検査が行われ、一の検査種類の検査が不適合（拒否）とされた場合に、検査申請元による再検査の申請指令に基づいて、検査機関又は船主に再検査を申請する。具体的には、船主或いは検査機関により「不適合」と判定された検査については、検査申請書において再検査を要求するための項目（例えば、画面中のボタン等）が用意されており、再検査に備えた修理や再製作等の処置が完了した段階で、検査申請元により船主或いは検査機関に再検査の要求が行えるようになっている。
【００５２】
次に、本実施形態に係る検査管理システム１の作用について図１から図１４を用いて説明する。以下特に明記しない場合には、第１ユーザ端末２ａを介して検査（操作）を行い、第１ユーザ端末２ａの表示部３８に表示される画面例として説明するが、検査（操作）を行う端末はこれに限定されず、第２ユーザ端末２ｂを介した操作を行い第２ユーザ端末２ｂの表示部３８に表示されることとしてもよいし、第３ユーザ端末２ｃを介して操作を行い、第３ユーザ端末２ｃの表示部３８に表示されることとしてもよい。
【００５３】
造船所の検査員（ユーザ）が第１ユーザ端末２ａを操作し、検査管理装置３のログイン画面のＵＲＬにアクセスすると、第１ユーザ端末２ａの表示部３８には、検査管理装置３から提供される検査管理システム１へのログイン画面が表示される。ログイン画面において、造船所の検査員によって、予め検査員に付与されているユーザＩＤとパスワードが入力され、ユーザ認証が行われると図４に示されるような初期画面が表示される。
【００５４】
初期画面では、例えば、図４に示されるような当日の検査一覧表示及びオンライン・オフライン検査結果登録のメニュー「当日の検査一覧」、検査のスケジュールを管理するメニュー「検査スケジュール」、「工場出荷検査」（ＦＡＴ（Ｆａｃｔｏｒｙ  Ａｃｃｅｐｔａｎｃｅ  Ｔｅｓｔ）の検査結果を「ＦＡＴ結果」と記載する場合もある）、検査項目別検査マトリックスによる検査申請・履歴・進捗管理のメニュー「テストインデックス」等が表示されており、ユーザが所望のメニューを選択できるようになっている。
【００５５】
検査を申請する場合には、第１ユーザ端末２ａを介してユーザによって、検査支援システム５の検査申請入力画面（図示略）から船舶の識別情報（例えば、船舶番号、船名等）、検査日、検査開始時刻等の情報を含む検査申請書が作成され、検査固有の申請書番号（識別番号）が付与されて、検査支援データベースに記録される。記録された検査申請書を造船所と、検査の立会人（船主或いは検査機関）とで共有する場合には、検査支援データベースから検査申請書が読み出され、立会人に対して読み出した検査申請書を提示させるための情報（例えば、検査申請書を提示させるための情報を格納するＵＲＬ（ｕｎｉｆｏｒｍ  ｒｅｓｏｕｒｃｅ  ｌｏｃａｔｏｒ））が電子メールで通知される。
【００５６】
また、立会人に対して検査申請書を提示させるための情報が電子メールで通知されるのに伴って、読み出した検査申請書に関連する情報が検査管理装置３のデータベース３１に記録される。
第２ユーザ端末２ｂ（或いは第３ユーザ端末２ｃ）において、取得した電子メールに記載されている情報に基づいて、第１ユーザ端末２ａから送信された検査申請書の内容が表示できるようになっている。
【００５７】
また、船主（或いは検査機関）は、取得した検査申請通知メールに基づいて検査管理装置３にアクセスし、検査の内容を確認することができる。なお、図１では図示省略しているが、第２ユーザ端末２ｂ及び第３ユーザ端末２ｃと、検査管理装置３との間には、認証システムを設けることが好ましい。
【００５８】
第１ユーザ端末２ａにおいて、図４に示されるような初期画面から「当日の検査一覧」が選択されると、検査管理装置３のデータベース３１に登録されている船舶の検査情報から当日の検査が読み出され、第１ユーザ端末２ａの表示部３８には、図５に示されるような当日の検査一覧が表示される。「当日の検査一覧」は、絞り込みエリア１００において該当する日付が検査日となっている項目を対象として、一覧エリア１０１において、検査固有の申請書番号に対応付けられた船舶番号、検査日、ヤード、検査箇所、一任処理するか否か、時刻、検査に関連する図面番号、検査の状態等が示される。
【００５９】
例えば、絞り込みエリア１００から所望の検査日が選択されると、選択した検査日が「検査日」欄に入力されている検査の情報が検査管理装置３のデータベース３１から抽出されて、抽出された情報が一覧エリア１０１に表示される。
また、「状態」欄では、再度検査が必要な状態である再検査、合格の状態であるクローズ、条件付き合格の状態であるオープン、検査が実施されていない状態である未テスト等の検査の進捗状態が示されている。
【００６０】
検査員等により「工場出荷検査」（ＦＡＴ検査）が行われ、ＦＡＴ検査の結果が入力される場合には、ヤード欄が「工場出荷検査結果」（または「ＦＡＴ」）と示される結果入力対象の申請書番号が選択され、ヤード検査の結果を入力する場合には、ヤード欄に「ヤード＊」（検査場所）と示される結果入力対象の申請書番号が選択される。メニューが選択されると検査申請書画面が起動されるので、検査員等により検査結果の入力が行える。
例えば、図５において「当日の検査一覧」の申請書番号欄から所望の申請書番号を選択（例えば、第１行目のＡ＊＊＊−＊＊＊＊をクリック）すると、図６に示されるような検査申請書が表示され、検査結果が入力できるようになる。第１ユーザ端末２ａを介して検査申請書に検査結果が入力されると、検査管理装置３のデータベース３１に登録される。
【００６１】
具体的には、図６に示されるように、詳細欄２００には、検査に関連する詳細情報（例えば、船舶番号又は名前、検査の種類、製造者、検査日、管理者）が表示され、コメント欄２０１には、船主（或いは検査機関）によるコメント及び造船所によるコメントが入力できるようになっている。検査管理装置３のデータベース３１には、コメントとして入力されると推定されるコメント内容を予め登録しておくことで、コメント欄２０１のプルダウンメニューからコメント内容をユーザに選択させ、簡便にコメント入力させることもできる。
【００６２】
関連領域２０２では、「図面システム」ボタンと「ＱＡ  Ｅｖｉｄｅｎｃｅ」ボタンとが設けられている。「図面システム」ボタンが選択されると、検査管理装置３と通信回線４を介して接続される図面承認システム８における図面承認状況を確認するための画面が起動するので、造船所の検査員は起動した画面により図面承認状況を確認することができる。
また、「ＱＡ  Ｅｖｉｄｅｎｃｅ」ボタンが選択されると、自主検査及び社内検査結果を表示する画面が起動する。
【００６３】
添付ファイル領域２０３では、当該検査に関連するファイルを検査申請書に対応付けて保存できるようになっている。例えば、検査において発見された不適合箇所の写真をカメラ等で撮影した場合に、その撮像画像を添付ファイルとして検査申請書に添付することができる。これにより、検査申請元と立会人との間で共通の添付ファイルを共有することができる。
【００６４】
サイン領域２０４では、表示されている検査申請書の検査に対する確認サインを入力させる欄を設けている。例えば、船主が、サイン欄にサインとなる船主のＰＩＮコードを入力後、「サイン」ボタンを選択することにより、船主による検査が完了し、船主により許可された状態となる。
なお、検査管理装置３のログイン画面で入力したログイン時のユーザＩＤに対応する正しいＰＩＮコードが入力された場合にのみ、本人認証される。
また、造船所の検査員のみによる検査が実施され、船主或いは検査機関が不在である場合には、「不在」ボタンを選択することにより、当該検査申請書は一時的保存状態となり、後刻、船主或いは検査機関に検査内容を確認すべき状態のステータスとして検査申請書が保存される。
【００６５】
図６のウィンドウ上部に示されるボタン領域２０５の「一時的保存」ボタンを選択することによって、検査申請書に入力された情報をローカルに一時的に保存する一時的保存状態にすることもできる。この段階では、検査申請書の情報は検査管理装置３に送信され、仮保存される。
ボタン領域２０５の「ロック」ボタンが選択され、ＰＩＮコードが入力されると、検査申請書の内容がローカルに一時的に保存され、検査申請書の編集を不可とし、検査申請書のデータ入力にアクセス制限をかけることができる。例えば、検査の途中で休憩を挟む等の理由により船主や検査機関の船舶検査官が不在となるタイミングにおいて、ユーザが「ロック」ボタンを選択して、休憩中の検査申請書の改ざんを防ぐことができる。
【００６６】
「アンロック」ボタンが選択され、ロック設定したときと同じＰＩＮコードが入力されると、ローカル記憶部３７から一時的に保存された検査申請書が読み出され、これによりアクセス制限が解除される。
ロック設定されている状態では、ＰＩＮコードの入力のみ行え、検査申請書の編集はできない。そのため、正しいＰＩＮコードを有しているユーザのみがロック解除を行うことができるので、セキュリティ対策に繋がる。
【００６７】
なお、造船所の検査員、船主、及び検査機関の船舶検査官の３者によってＰＩＮコードが入力されたことを制御部３２が検出すると、ボタン領域２０５の「保存」ボタンが選択可能な状態とされる。ユーザによって「保存」ボタンが選択されることにより、操作された端末から検査申請書に入力された情報が検査管理装置３に送信され、検査申請書の内容が検査管理装置３のデータベース３１に登録される。以後、データベース３１に格納処理された（保存された）検査申請書については、編集不可の状態とされる。これにより、検査記録の改ざんを防止し、セキュリティを強化している。
このように、ローカルに保存する「一時的保存」と検査管理装置３に保存する「保存」を設けることにより、通信回線４と通信の可不可によらず検査を進め、オンライン状態になった場合に検査結果を検査管理装置３に送信するといった使い方ができる。
【００６８】
また、図５の「当日の検査一覧」の一任処理領域１０２にて船主（或いは検査機関）による一任処理が選択されている場合には、図６のサイン領域２０４には、一任処理した船主（或いは検査機関の船舶検査官）の名前（例えば、ユーザＩＤ）と一任処理を受け付けた日付とが設定される。一任処理されることになっている対象検査については、造船所の検査員のサイン（ＰＩＮコード）が制御部３２に検出された時点で、検査申請書の「保存」が可能になる。
【００６９】
第１ユーザ端末２ａにおいて、初期画面の「ＦＡＴ結果」ボタンが選択されると、検査管理装置３のデータベース３１からＦＡＴ検査に関連する情報が読み出され、図７に示されるようなＦＡＴスケジュール及び検査結果が表示部３８に表示される。ＦＡＴスケジュール及び検査結果画面においては、工場出荷検査の検査日等のＦＡＴスケジュールとともに、対応する船舶の検査の申請書番号が関連付けられている。
【００７０】
ＦＡＴスケジュール欄の図面承認ステータス３００においては、テスト項目に対応する関連図面が図面承認システム８において承認されているか否かの状態を確認できるようになっている。また、検査やＦＡＴに対するコメントがある場合には、コメントが入力され、検査管理装置３のデータベース３１に登録される。
【００７１】
初期画面（図４）において、「検査／ＦＡＴコメント」ボタンが選択されると、図８に示されるようなヤード立会検査／ＦＡＴ結果管理／コメント管理の情報を含む画面が表示される。ヤード立会検査時の船主・船級担当コメントに対するヤード回答、及びＦＡＴ検査時の船主・船級担当コメントに対するメーカ回答の登録と、船主承認処理を行えるようになっている。また、図８の状態欄に示されるように、コメントを「深刻」「深刻でない」等の複数段階にレベル分けし、例えば、「深刻でない」場合にはヤードの確認で終結させ、「深刻」の場合にはヤード回答及びメーカ回答によって終結させる等、終結させるまでの対応を異ならせる機能を有している。
【００７２】
また、図８において、申請書番号が選択されると、申請書番号に対応する検査の結果を表示される。図９は、ヤード回答の画面例が示されている。図示されるように、図９は、申請書番号に対応付けられて保存されている船主コメント及び船級（検査機関）コメントと、それに対するヤード回答を含んでいる。
また、各コメントに対して、造船所担当者からメールにて回答がある場合には、検査管理装置３はメーラーと連携し、図８及び図９における「ヤード回答」欄にメール内に記載の造船所担当者の回答を取り込むようにしてもよい。検査やＦＡＴに関するコメントは広範囲、かつ、多数に及ぶが、こうしたメーラーとの連携機能を有することにより、検査員による入力の煩わしさを軽減させることができる。
【００７３】
また、図８に示されるように、立会検査において、船主或いは検査機関により検査が合格とされた場合には、判定欄４００において「（コメントあり又はコメントなし）合格」と表示され、船主或いは検査機関により検査が不適合とされた場合には、「不合格」と表示される。判定欄４００にて「不合格」と表示された検査の申請書番号がユーザにより選択され、不適合理由が解消されたことが入力されると検査申請書が再検査リストに登録される。再検査申請書画面から検査申請の操作が実行されると、検査管理装置３において、新たな検査固有の申請書番号（識別番号）が付与され、（拒否された）元の申請書番号と対応付けて検査管理装置３のデータベース３１に登録される。
【００７４】
このように再検査申請された検査の情報は、図５の再検査リスト１０３に示されるような「当日の検査一覧」において、新たな申請書番号と元の申請書番号とが対応付けられて一覧表示されるようになっている。
なお、図８の絞り込み領域４０１においては、判定種別によって絞り込みができるようになっているので、例えば、「判定：不合格」として検索をかけることにより、再検査申請するべき検査の一覧を簡便に得られる。
【００７５】
初期画面（図４）において、「テストインデックス」ボタンが選択されると、図１０に示されるように、設備及びシステムごとの検査項目の一覧が表示される。また、船舶の場合には、同じ設備及びシステムが、非常に多くの箇所において導入されるため、本実施形態においては、図１１に示されるように、設備及びシステムが導入される箇所毎に管理できるようになっている。例えば、図１０の「シェルドア」が選択されると、図１１に示されるように「シェルドア」が導入される「検査箇所」毎に（図１１の縦軸）、複数の検査種類（図１１の横軸）が表示される。このように、１つの設備及びシステムが複数の箇所（検査箇所）で用いられ、各々の箇所に対してそれぞれ複数の検査種類の検査が実施されるような管理項目が複雑になる場合であっても、図１１に示されるようなマトリクス表示によって簡便に管理できる。
【００７６】
また、各検査はそれぞれ検査申請書により管理されているので、図１１のマトリクス表示における検査箇所と検査種類との交点には検査固有の検査申請書が対応付けられている。例えば、マトリクス表示の交点にマウスカーソルを合わせると検査申請書番号が表示され、表示された検査申請書番号をクリックすることにより該当する検査申請書を表示させることができる。
【００７７】
また、検査箇所と検査種類との交点には、船主、検査機関、検査申請元のそれぞれ許可された内容に応じて合格及び不合格を示す色や模様が異なって表示されるようになっている。例えば、図１１に示されるように、検査する項目は欄内が白色表示、対象検査箇所について対象外の検査種類はＮ／Ａ（ｎｏｔ  ａｖａｉｌａｂｌｅ）としてドット表示、検査箇所Ｉｔｅｍ０３は、船主或いは検査機関によって拒否されているので検査結果欄が塗りつぶし表示となっており、検査箇所Ｉｔｅｍ０４は、造船所、船主、及び検査機関によって許可されたので検査結果欄が網掛け表示となっている。
【００７８】
また、検査管理装置３は、工事工程の進捗を管理する進捗管理システム７と情報の授受可能とされており、例えば、「テストインデックス」画面は進捗管理システム７と連携可能とされている。具体的には、制御部３２は、船舶の工事工程の進捗情報を取得し、取得した進捗情報に基づいて、船舶の検査の予定を表示部３８に出力する。例えば、制御部３２は、進捗管理システム７から工事工程の完了情報を取得すると、検査結果の入力ができるように、完了情報を取得したことにより実施可能となる検査欄（検査箇所と検査種類との交点）を入力可能な状態にさせる（例えば、交点が白色表示なる等）。これにより、船舶の工事工程の進捗と関連付けられる検査があれば、工事の進捗に応じて検査可否が確認できるので、検査に進めるか否かの判断が容易に行える。
【００７９】
初期画面（図４）において「検査スケジュール」が選択されると、図１２に示されるような検査スケジュール画面が表示される。検査スケジュール画面では、指定した週、月、年等にわたる期間の検査スケジュールが確認できるようになっている。
図４において、ＮＣＲ（不適合管理：Ｎｏｎ−ｃｏｎｆｏｒｍｉｔｙ  ｒｅｐｏｒｔ）が選択されると、図１３に示されるような不適合管理画面が表示される。ここでは、ヤード立会検査以外の不適合管理の内容が確認できるようになっている。
図４において、「ＱＡ  Ｅｖｉｄｅｎｃｅ」が選択されると、図１４に示されるような、ブロック検査、塗装検査、パイプ検査等事前に行われた自主検査、社内検査管理の情報が表示されるようになっている。このように、ブロック検査、塗装検査、パイプ検査等事前に自主検査、社内検査を行い、品質を確認した上で立会検査を受けることにより、検査に備えることができる。
【００８０】
以上説明してきたように、本実施形態に係る検査管理システム１及び方法並びにプログラムによれば、船主に設置される第２ユーザ端末２ｂ及び船舶の検査機関に設置される第３ユーザ端末２ｃのうち少なくともどちらか一方と、検査申請元（造船所）に設置される第１ユーザ端末２ａとが通信回線４を介して接続可能にされており、船舶が技術基準に適合しているか否かの検査に関連する情報を管理する検査管理システム１であって、船舶の検査箇所、船舶の検査種類、船舶の検査箇所と船舶の検査種類との組み合わせに対して付加される検査結果、コメント、及びコメントの対応状況などがデータベース３１に記憶されており、データベース３１から読み出された船舶の検査箇所を所定の順序で示される配列と、船舶の検査種類が検査する順序で示される配列とがマトリクス表示され、船主、検査機関、及び検査申請元のそれぞれで判断された検査結果がマトリクス表示に示される。
【００８１】
船舶が技術基準に適合しているか否かの適合判断の検査は、長期間にわたる多数多品目の検査であること、船主や検査機関による多数のコメントが付加される等の理由により、管理する情報が多くなるが、本発明によれば、船舶の検査箇所と検査種類をマトリクス表示によって一元管理することができるので、船舶の検査状況を簡便に把握できる。また、従来、検査は検査対象装置毎、或いは、検査場所毎のいずれかで管理が行われていたが、本発明によれば、検査の全体を一元管理できるようになる。
また、造船所の検査員と船主及び検査機関の船舶検査官との双方から各検査の情報にアクセスして処理を進められるので、合理的である。
さらには、検査機関が検査を検査申請元に一任するように許可し、前述の検査機関による立ち会いが無くてもよい検査の実施がより円滑に実施可能となる。
【００８２】
なお、上記実施形態においては、検査管理装置３のデータベース３１に登録される検査の内容は、検査支援システム５から取得した情報を用いていたが、これに限定されない。例えば、検査管理装置３のデータベース３１に対して、事前に検査の内容を手動で登録する、或いは、別途設けられる検査一覧表等から一括で検査情報を登録できるようにすることとしてもよい。
【００８３】
なお、本発明は上述した実施形態に限定されることはなく、その要旨を逸脱しない範囲内において適宜変更することができる。
【符号の説明】
【００８４】
１  検査管理システム
２ａ  第１ユーザ端末
２ｂ  第２ユーザ端末
２ｃ  第３ユーザ端末
３  検査管理装置
３１  データベース（第１記憶手段）
３２  制御部
３３  再検査申請部
３７  ローカル記憶部（第２記憶手段）
３８  表示部
【図１】
2015099548.tif 000003
【図２】
2015099548.tif 000004
【図３】
2015099548.tif 000005
【図４】
2015099548.tif 000006
【図５】
2015099548.tif 000007
【図６】
2015099548.tif 000008
【図７】
2015099548.tif 000009
【図８】
2015099548.tif 000010
【図９】
2015099548.tif 000011
【図１０】
2015099548.tif 000012
【図１１】
2015099548.tif 000013
【図１２】
2015099548.tif 000014
【図１３】
2015099548.tif 000015
【図１４】
2015099548.tif 000016